(57)【特許請求の範囲】
【請求項１】
被写体の撮影を行なう撮影手段と、上記撮影手段により撮影された画像に基づいて、プリント紙に対して画像の出力を行なう画像出力手段と、上記画像出力手段により画像出力されたプリント紙を排出するプリント排出手段とを備えた写真プリントシステムにおいて、
上記撮影手段および上記プリント排出手段を移動させる移動手段をさらに備えることを特徴とする写真プリントシステム。
【請求項２】
上記撮影手段によって撮影された画像に対して利用者による編集処理が行なわれる編集手段をさらに備えており、
上記画像出力手段は、上記編集手段によって編集が行なわれた画像に基づいて、プリント紙に対して画像の出力を行なうものであり、
上記移動手段は、上記編集手段をさらに移動させるものであることを特徴とする請求項１に記載の写真プリントシステム。
【請求項３】
上記移動手段は、上記撮影手段、上記プリント排出手段および上記編集手段をそれぞれ独立して移動させるものであることを特徴とする請求項２に記載の写真プリントシステム。
【請求項４】
上記撮影手段および上記プリント排出手段が異なる向きに配置された本体装置をさらに備えており、
上記移動手段は、上記本体装置を回転させるものであることを特徴とする請求項１に記載の写真プリントシステム。
【請求項５】
上記本体装置には、上記撮影手段によって撮影された画像に対して利用者による編集処理が行なわれる編集手段が、上記撮影手段および上記プリント排出手段と異なる向きにさらに配置されており、
上記画像出力手段は、上記編集手段によって編集が行なわれた画像に基づいて、プリント紙に対して画像の出力を行なうものであることを特徴とする請求項４に記載の写真プリントシステム。
【請求項６】
外部の光を遮蔽するため、上記撮影手段による撮影処理が行なわれる撮影空間を覆う遮蔽部材をさらに備えており、
上記移動手段は、上記撮影手段の移動に応じて、上記遮蔽部材を移動させるものであることを特徴とする請求項１ないし５の何れか１項に記載の写真プリントシステム。
【請求項７】
被写体の撮影を行なう撮影手段と、上記撮影手段により取得された画像に基づいて、プリント紙に対して画像の出力を行なう画像出力手段と、上記画像出力手段により画像出力されたプリント紙を排出するプリント排出手段とを備えた写真プリントシステムにおいて、
上記撮影手段による撮影処理が行なわれる撮影空間から、上記プリント排出手段のプリント排出処理が行なわれるプリント排出空間へ利用者を運搬する運搬手段をさらに備えることを特徴とする写真プリントシステム。
【請求項８】
上記撮影手段によって撮影された画像に対して利用者による編集処理が行なわれる編集手段をさらに備えており、
上記画像出力手段は、上記編集手段によって編集が行なわれた画像に基づいて、プリント紙に対して画像の出力を行なうものであり、
上記運搬手段は、上記撮影空間に存在する利用者を、上記編集手段による編集処理が行なわれる編集空間に運搬し、かつ、上記編集空間に存在する利用者を上記プリント排出空間に運搬することを特徴とする請求項７に記載の写真プリントシステム。
【請求項９】
上記運搬手段は、上記撮影空間から上記編集空間への運搬と、上記編集空間から上記プリント排出空間への運搬とをそれぞれ独立して行なうものであることを特徴とする請求項８に記載の写真プリントシステム。
【請求項１０】
被写体の撮影を行なう撮影手段と、上記撮影手段によって撮影された画像に対して利用者による編集処理が行なわれる編集手段と、上記編集手段によって編集が行なわれた画像に基づいて、プリント紙に対して画像の出力を行なう画像出力手段と、上記画像出力手段により画像出力されたプリント紙を排出するプリント排出手段と、上記撮影手段による撮影処理が行なわれる撮影空間に存在する利用者を、上記編集手段による編集処理が行なわれる編集空間に運搬する第１の運搬手段と、上記編集空間に存在する利用者を、上記プリント排出手段のプリント排出処理が行なわれるプリント排出空間に運搬する第２の運搬手段とを備えた写真プリントシステムにおける写真プリントシステム制御方法であって、
第１および第２の運搬手段のそれぞれに対して、運搬元の空間で行なわれる処理が終了し、かつ、運搬先の空間に利用者が存在しない場合に利用者を運搬するように制御することを特徴とする写真プリントシステム制御方法。
【請求項１１】
請求項１０に記載の写真プリントシステム制御方法をコンピュータに実行させるための写真プリントシステム制御プログラム。
【請求項１２】
請求項１１に記載の写真プリントシステム制御プログラムを記録したコンピュータ読取り可能な記録媒体。
【請求項１３】
請求項１ないし９のいずれか１項に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、被写体の撮影を行なうとともに、該撮影により取得された画像に基づき、所望の場合には該画像に編集処理を施した上で、シール紙などのプリント紙にプリント出力する写真プリントシステムに関するものである。
【０００２】
【従来の技術】
従来、例えばゲームセンターなどの娯楽施設において、利用者の写真撮影を行なうとともに、その写真を背景画像などと合成した上でシール紙にプリント出力する写真シール自動販売機が設置されており、人気を博している。この写真シール自動販売機において、写真撮影が行なわれた後に、表示画面上に表示させた撮影画像に対してタッチペンなどのポインティングデバイスによって画像編集を行なうことが可能となっている機種が普及している。この画像編集機能によって、利用者は撮影画像に対して、例えば背景の色や模様を変更したり、文字やイラストなどを書き込んだりすることが可能となり、プリント出力されたシール紙（以下、「シールプリント」と称する。）の娯楽性を高めることができる。
【０００３】
上記のような写真シール自動販売機は、撮影、編集、出力機能を有する本体装置に加えて、写真撮影を行なうための撮影空間が必要とされるので、全体として比較的大きなスペースを占有することになる。すなわち、例えば娯楽施設においても、写真シール自動販売機を設置するためのスペースには限りがあるので、人気のある機種であっても何台も設置することはできない。したがって、人気のある機種では、利用者が順番待ちのために列を作るというような事態が頻繁に生じている。
【０００４】
これに対して、１台の写真シール自動販売機に、撮影空間とは別の空間に、落書きなどの編集作業用の編集空間を設けた機種が提供されている。このような機種によれば、ある利用者が編集空間において落書きしている間に、別の利用者が撮影空間において撮影作業を行なうことが可能となり、客の回転率を向上させることが可能となる。
【０００５】
【発明が解決しようとする課題】
上記のような、撮影空間と編集空間とを分離した写真シール自動販売機では、本体装置の一方の面に撮影用のカメラなどを設け、その裏側の面に編集用の画面およびタッチペンなどを設け、その他の面にプリントシールの取出口を設けた構成となっている場合が多い。このような機種では、利用者は、まず、撮影空間において撮影を行ない、次に、本体装置の裏側へ移動して編集空間において編集作業を行ない、そして、プリントシールの取出口へ移動してプリントシールを取得することになる。このような移動は、利用者にとって不便さを感じる要因となっている。
【０００６】
本発明は上記の問題点を解決するためになされたもので、その目的は、１台の写真プリントシステムにおいて同時に複数組の利用者を取り扱うことができるとともに、撮影処理からプリント出力処理までの間に、利用者自身が移動を行なう必要がない写真プリントシステムを提供することにある。
【０００７】
【課題を解決するための手段】
上記の課題を解決するために、請求項１に記載の写真プリントシステムは、被写体の撮影を行なう撮影手段と、上記撮影手段により撮影された画像に基づいて、プリント紙に対して画像の出力を行なう画像出力手段と、上記画像出力手段により画像出力されたプリント紙を排出するプリント排出手段とを備えた写真プリントシステムにおいて、上記撮影手段および上記プリント排出手段を移動させる移動手段をさらに備えることを特徴としている。
【０００８】
上記の構成によると、撮影手段およびプリント排出手段が移動可能となっている。したがって、撮影手段において撮影が終了すると、移動手段によって利用者の前にプリント排出手段を移動させることができる。これにより、利用者自身が移動することなく撮影処理およびプリント排出処理が行なわれるから、利用者の移動による煩わしさを回避することができる。
【０００９】
また、請求項２に記載の写真プリントシステムは、請求項１の構成において、上記撮影手段によって撮影された画像に対して利用者による編集処理が行なわれる編集手段をさらに備えており、上記画像出力手段は、上記編集手段によって編集が行なわれた画像に基づいて、プリント紙に対して画像の出力を行なうものであり、上記移動手段は、さらに上記編集手段を移動させるものであることを特徴としている。
【００１０】
上記の構成によると、編集手段も移動可能となっているから、撮影の終了後に、移動手段によって利用者の前に編集手段を移動させることができ、編集処理の終了後に、移動手段によって利用者の前にプリント排出手段を移動させることができる。これにより、利用者自身が移動することなく、撮影処理、編集処理、およびプリント排出処理が行なわれるから、編集手段が追加されることによる利用者のさらなる移動による煩わしさを回避することができる。
【００１１】
また、請求項３に記載の写真プリントシステムは、請求項２の構成において、上記移動手段は、上記撮影手段、上記プリント排出手段および上記編集手段をそれぞれ独立して移動させるものであることを特徴としている。
【００１２】
上記の構成によると、上記撮影手段、上記プリント排出手段および上記編集手段を同時に移動させる場合に比べて、利用者が次の処理を行なうために用いる手段が使用されていない場合には、該手段をただちに移動させることができる。したがって、写真プリントシステムにおける作業効率を向上させることができる。
【００１３】
また、請求項４に記載の写真プリントシステムは、請求項１の構成において、上記撮影手段および上記プリント排出手段が異なる向きに配置された本体装置をさらに備えており、上記移動手段は、上記本体装置を回転させるものであることを特徴としている。
【００１４】
上記の構成によると、移動手段は、本体装置を回転させるのみで撮影手段およびプリント排出手段の移動を実現することができる。すなわち、移動手段は、本体装置を回転させる機能のみを有すれば、撮影手段およびプリント排出手段をそれぞれ移動させる機能を有する必要がない。したがって、移動手段を設けることによるシステムの大型化を低減することができる。
【００１５】
なお、上記編集手段をさらに備える写真プリントシステムの場合には、上記編集手段が、上記本体装置における上記撮影手段および上記プリント排出手段と異なる向きにさらに配置されることが望ましい。
【００１６】
また、通常、写真プリントシステムは、外部の光を遮蔽するため、上記撮影手段による撮影処理が行なわれる撮影空間を覆う遮蔽部材をさらに備えているから、上記移動手段は、上記撮影手段の移動に応じて、上記遮蔽部材を移動させるものであることが望ましい。
【００１７】
また、請求項７に記載の写真プリントシステムは、被写体の撮影を行なう撮影手段と、上記撮影手段により取得された画像に基づいて、プリント紙に対して画像の出力を行なう画像出力手段と、上記画像出力手段により画像出力されたプリント紙を排出するプリント排出手段とを備えた写真プリントシステムにおいて、上記撮影手段による撮影処理が行なわれる撮影空間から、上記プリント排出手段のプリント排出処理が行なわれるプリント排出空間へ利用者を運搬する運搬手段をさらに備えることを特徴としている。
【００１８】
上記の構成によると、運搬手段は、撮影の終了後に、撮影空間からプリント排出空間に利用者を運搬することができる。これにより、利用者自身が移動することなく撮影処理およびプリント排出処理が行なわれるから、利用者の移動による煩わしさを回避することができる。
【００１９】
また、請求項８に記載の写真プリントシステムは、請求項７の構成において、上記撮影手段によって撮影された画像に対して利用者による編集処理が行なわれる編集手段をさらに備えており、上記画像出力手段は、上記編集手段によって編集が行なわれた画像に基づいて、プリント紙に対して画像の出力を行なうものであり、上記運搬手段は、上記撮影空間に存在する利用者を、上記編集手段による編集処理が行なわれる編集空間に運搬し、かつ、上記編集空間に存在する利用者を上記プリント排出空間に運搬することを特徴としている。
【００２０】
上記の構成によると、運搬手段は、撮影の終了後に、撮影空間から編集空間に利用者を運搬することができ、編集処理の終了後に、編集空間からプリント排出空間に利用者を運搬することができる。これにより、利用者自身が移動することなく、撮影処理、編集処理、およびプリント排出処理が行なわれるから、編集手段が追加されることによる利用者のさらなる移動による煩わしさを回避することができる。
【００２１】
また、請求項９に記載の写真プリントシステムは、請求項８の構成において、上記運搬手段は、上記撮影空間から上記編集空間への運搬と、上記編集空間から上記プリント排出空間への運搬とをそれぞれ独立して行なうものであることを特徴としている。
【００２２】
上記の構成によると、上記撮影空間から上記編集空間への運搬と、上記編集空間から上記プリント排出空間への運搬とを同時に行なう場合に比べて、運搬先の空間に利用者が存在しない場合には、利用者をただちに運搬することができる。したがって、写真プリントシステムにおける作業効率を向上させることができる。
【００２３】
また、請求項１０に記載の写真プリントシステム制御方法は、被写体の撮影を行なう撮影手段と、上記撮影手段によって撮影された画像に対して利用者による編集処理が行なわれる編集手段と、上記編集手段によって編集が行なわれた画像に基づいて、プリント紙に対して画像の出力を行なう画像出力手段と、上記画像出力手段により画像出力されたプリント紙を排出するプリント排出手段と、上記撮影手段による撮影処理が行なわれる撮影空間に存在する利用者を、上記編集手段による編集処理が行なわれる編集空間に運搬する第１の運搬手段と、上記編集空間に存在する利用者を、上記プリント排出手段のプリント排出処理が行なわれるプリント排出空間に運搬する第２の運搬手段とを備えた写真プリントシステムにおける写真プリントシステム制御方法であって、第１および第２の運搬手段のそれぞれに対して、運搬元の空間で行なわれる処理が終了し、かつ、運搬先の空間に利用者が存在しない場合に利用者を運搬するように制御することを特徴としている。
【００２４】
上記の方法によると、運搬先の空間に利用者が存在しない場合には、利用者をただちに運搬するように第１および第２の運搬手段のそれぞれを制御するから、写真プリントシステムにおける処理効率を向上させることができる。
【００２５】
なお、請求項１０に記載の写真プリントシステム制御方法を写真プリントシステム制御プログラムとしてコンピュータに実行させることができる。さらに、上記写真プリントシステム制御プログラムをコンピュータ読取り可能な記録媒体に記憶させることにより、任意のコンピュータ上で上記写真プリントシステム制御方法を実行させることができる。
【００２６】
また、請求項１３に記載のプリント紙ユニットは、請求項１ないし９のいずれか１項に記載の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００２７】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００２８】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００２９】
また、識別情報に用紙種類情報を含ませることによって、これらを考慮して画像データの色成分などを補正することにより、その用紙やインクフィルムに的確な画像出力を行なうことが可能となる。
【００３０】
【発明の実施の形態】
〔実施の形態１〕
本発明の実施の一形態について図１〜図８に基づいて説明すれば、以下のとおりである。図２〜図４は、本実施形態における写真プリントシステムの外観を示しており、図１は、上記写真プリントシステムを上方から見た概要を示している。
【００３１】
本実施形態の写真プリントシステム10では、床12の上に円柱形状の本体装置11が回転可能に配備されている。本体装置11の側面には、上方から見て時計回りの順番に、利用者13が写真プリントシステム10を利用するのに必要な金額のコインを投入するコイン投入口14と、主に利用者13を被写体として写真撮影を行なう撮影装置（撮影手段）15と、撮影した写真に対して落書きなどの編集を利用者13に行なわせる編集装置（編集手段）16と、編集が行なわれた画像に基づいてプリント出力されたプリントシールを排出するプリント排出口（プリント排出手段）17とがそれぞれ配備されている。なお、各構成の詳細については後述する。
【００３２】
コイン投入口14およびプリント排出口17の前面の空間（以下、「出入口空間」と称する。）（プリント排出空間）20と、撮影装置15の前面の空間（以下、「撮影空間」と称する。）21と、編集装置16の前面の空間（以下、「編集空間」と称する。）22とは、それぞれ仕切幕23・23・23によって互いに分離されている。仕切幕23は、後述する理由により、開閉可能である、短冊状であるなど、利用者が通り抜け易い構造であることが望ましい。なお、仕切幕23は、防犯上の理由から、下部が開いていることが望ましい。
【００３３】
さらに、撮影空間21には、外部からの光を遮蔽するため、上部幕（遮蔽部材）24および周囲幕（遮蔽部材）25が配備されている。同様に、編集空間22にも、上部幕24および周囲幕25が配備されている。ただし、編集空間22における周囲幕25は、防犯上の理由から、撮影空間21における周囲幕25に比べて、下部が開いていることが望ましい。
【００３４】
なお、出入口空間20では、外部の光を遮蔽する必要はなく、また利用者が出入りするため、上部幕24および周囲幕25が配備されていない。しかしながら、必要があれば、外部と出入口空間20とを分離するために上部幕24および周囲幕25を配備してもよい。
【００３５】
仕切幕22、上部幕24および周囲幕25は、遮光性を有するビニールシートなどによって構成されており、本体装置11の上部に接続された支持枠26によって支持されている。
【００３６】
次に、本体装置11の各構成の詳細について説明する。コイン投入口14は、利用者13がプレイ料金として所定のコインを所定枚数だけ投入するための投入口である。また、コイン投入口14には、コイン処理部（図示せず）が設けられている。
【００３７】
コイン処理部は、所定のコインが投入されたか否かを判定する。所定のコインが投入されたと判定した場合には、制御装置（後述）に通知し、投入されたコインを、コインを蓄積するコイン容器（図示せず）に送り出す。一方、所定以外のコインが投入されたと判定した場合には、投入されたコインをコイン排出口18に送り出す。
【００３８】
なお、紙幣やコインを所定のコインに両替する両替機が写真プリントシステム10の近くに存在しない場合には、新たに紙幣投入口を設けて、紙幣処理部を設けたり、釣銭処理部を設けたりすることが望ましい。
【００３９】
次に、撮影装置15の詳細について説明する。撮影装置15は、図２に示されるように、上下方向に移動可能であり、かつ上下方向に傾斜可能である撮影ユニット30を備える。撮影ユニット30は、被写体を撮影する撮影カメラ31と、撮影カメラ31によって撮影された撮影画像を表示する表示モニタ32と、撮影画像を取り込むタイミングを決定する撮影ボタン33とを備えている。
【００４０】
撮影カメラ31は、例えばレンズ群、絞り、ＣＣＤ(Charge Coupled Device)撮像素子などを備えたデジタルカメラによって構成される。この撮影カメラ31は、全身撮影とクローズアップ撮影との両方に対応できるように、例えば使用するレンズ群および絞りを切り替えられるような構成となっている。
【００４１】
表示モニタ32は、撮影処理における各種操作内容の表示や、撮影時の撮影画面表示などに用いられるモニタである。この表示モニタ32は、例えば液晶表示素子などのフラットパネルディスプレイや、小型のＣＲＴ(Cathode Ray Tube)などによって構成される。
【００４２】
また、撮影ユニット30の両側には、照明装置34・34が配備され、撮影ユニット30の下部には、各種の操作ボタン35およびスピーカ36・36が配備されている。照明装置34・34は、撮影時にストロボランプなどの写真閃光灯として機能するとともに、通常時の照明として機能するものである。
【００４３】
操作ボタン35は、例えば、撮影ユニット30の位置や角度を調整したり、全身撮影とクローズアップ撮影とを切り替えたり、表示モニタ32に表示される操作内容に応じて何らかの選択を行なったりする際に用いられるボタンである。スピーカ36・36は、各種操作上のガイダンス音声や効果音などを出力するものである。
【００４４】
なお、撮影空間21は、撮影カメラ31の視野角特性により、撮影カメラ31から離れるほど広くなっていることが好ましい。この点に関して、本実施形態のような扇状の空間は撮影空間21に適している。
【００４５】
次に、編集装置16について説明する。編集装置16は、図３に示されるように、編集表示パネル40、タッチペン41およびスピーカ42・42を備えた構成となっている。編集表示パネル40は、落書きなどの編集処理時に、編集対象の画像の表示や各種編集ツールの選択表示などを行なうものである。この編集表示パネル40は、例えば液晶表示素子などのフラットパネルディスプレイやＣＲＴなどによって構成されるとともに、その表面にタッチパネルが設けられている。
【００４６】
タッチペン41は、編集表示パネル40におけるタッチパネルを利用して、落書きなどの画像描画や、表示されている各種編集ツール、操作ボタンなどの選択を行なうためのペンである。スピーカ42・42は、各種操作上のガイダンス音声や効果音などを出力するものである。
【００４７】
次に、写真プリントシステム10の構成について、図５に基づいて説明する。写真プリントシステム10は、前記した撮影装置15および編集装置16に加えて、制御装置50、記憶装置51、コイン処理部52、照明装置53、回転駆動装置（移動手段）54、ＩＤタグリーダ／ライタ（識別情報読取手段）56、およびプリンタ（画像出力手段）58を備えている。
【００４８】
制御装置50は、写真プリントシステム内における上述した各種構成の動作を統括的に制御するものである。この制御装置50は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置50がインターネットなどの通信ネットワークに接続された構成とする場合、この通信ネットワークを介して上記プログラムをダウンロードしてハードディスクなどにインストールして実行する形態なども考えられる。
【００４９】
記憶装置51は、上記したハードディスクなどの不揮発性の記憶装置によって構成されるものである。この記憶装置51に記憶される内容としては、上記した制御プログラム、ＯＳ(Operating System)プログラム、およびその他各種プログラム、撮影カメラ31における動作設定値、撮影した画像および編集した画像の画像データなどが挙げられる。上記の撮影カメラ31における動作設定値としては、装置出荷時やメンテナンス時などに設定されるホワイトバランスの値、撮影画像の明暗などを調整する際の画像処理に関する各種パラメータ値などが挙げられる。
【００５０】
コイン処理部52は、前述のように、コイン投入口14から所定のコインが投入されたと判定すると、制御装置50に通知するものである。制御装置50は、コイン処理部52からの通知を受け取ると、課金処理を行なう。すなわち、制御装置50は、コイン処理部52からの通知をカウントし、利用者13が投入した金額に応じて、利用者13に対する動作を制御する。
【００５１】
照明装置53は、前記した撮影装置15の照明装置34・34のほか、出入口空間20、撮影空間21および編集空間22に配備される照明を含んでいる。制御装置50は、照明装置53の点灯、消灯、明滅などの制御を行なう。
【００５２】
回転駆動装置54は、本体装置11と、本体装置11に接続された支持枠26と、支持枠26に支持された仕切幕22、上部幕24および周囲幕25とを、上方から見て反時計回りに回転駆動するものである。回転駆動装置54は、回転動力を発生させるモータと、モータにて発生した回転動力を本体装置11に伝達する歯車、無端状ベルト、プーリなどの公知の回転伝達機構とを備える構成である。制御装置50は、回転駆動装置54による本体装置11の回転の駆動と停止とを回転駆動制御部55にて制御している。
【００５３】
ＩＤタグリーダ／ライタ56およびプリンタ58は、プリンタユニットを構成しており、このプリンタユニットに対して、写真プリントの出力媒体となるプリント紙59およびＩＤタグ（識別媒体）57がプリント紙ユニットとしてセットで納入されるようになっている。
【００５４】
プリンタ58は、出力すべき画像データが制御装置50から送られてくると、その画像データに基づいてプリント紙59に印刷するものである。このプリンタ58としては、例えば昇華型プリンタが用いられる。なお、昇華型プリンタを用いる場合には、プリント紙59およびＩＤタグ57に加えて、昇華型用インクフィルムがセットととなって納入されることになる。
【００５５】
ＩＤタグリーダ／ライタ56は、ＩＤタグ57に記録されている各種識別情報を読み出して制御装置50に出力する。ＩＤタグ57は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００５６】
制御装置50は、ＩＤタグリーダ／ライタ56で読み取った識別情報に基づいて、装着されたプリント紙59およびインクフィルムが、当該写真プリントシステム10において利用可能なものであるかを判定し、利用可能である場合にのみプリンタ58を動作可能とする。すなわち、写真プリントシステム10において指定されているプリント紙59およびインクフィルム以外は使用できないように設定されていることになる。
【００５７】
また、ＩＤタグ57に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者13の利用中に用紙切れを起こすというような不具合を回避することが可能となる。
【００５８】
なお、用紙枚数をカウントダウンする際には、ＩＤタグ57に記録されている用紙枚数情報も書き換えることが望ましい。これにより、用紙を使い切った場合には、ＩＤタグ57に記録されている用紙枚数情報も０となり、このＩＤタグ57を無効にすることが可能となる。
【００５９】
また、ＩＤタグ57に記録されている用紙種類情報や、インク固有の色情報を読み出すことによって、これらを考慮して画像データの色成分などを補正することにより、そのプリント紙59やインクフィルムに的確な画像出力を行なうことが可能となる。
【００６０】
ＩＤタグ57としては、無線（ワイヤレス）によりデータ通信を行なうことが可能な非接触型ＩＤタグと、端子が設けられた接触型ＩＤタグとがあり、ＩＤタグリーダ／ライタ56としては、これらの何れか一方あるいは両方に対応したものとなる。
【００６１】
なお、上記の例では、利用可能なプリント紙59であるか否かを確認するために、ＩＤタグ57を利用しているが、これに限定されるものではなく、例えば、プリント紙59およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００６２】
なお、上記のプリント紙59としては、通常の紙状媒体である紙状シートであってもよいし、粘着シートおよび該粘着シールの粘着面に貼り付けられている剥離シートからなるシールシートであってもよい。
【００６３】
上記構成の写真プリントシステム10において、１組の利用者13による撮影から編集、出力に至るプレイ動作について、図６に基づいて説明する。まず、利用者13は、出入口空間20、撮影空間21および編集空間22となる３つの作業空間の何れかの前に並び、目の前の作業空間が出入口空間20となったときに、出入口空間20に進入する（ステップＳ10。以下、単に「Ｓ10」と記載する。他のステップについても同様である。）。
【００６４】
次に、利用者13がコイン投入口14から代金としてコインを投入すると、コイン処理部52から制御装置50にコインの投入が通知されることにより課金処理が行なわれる（Ｓ11）。課金処理が正常に完了したことが確認されると、回転駆動装置54が本体装置11、支持枠26、仕切幕22、上部幕24および周囲幕25を回転駆動して、コイン投入口14およびプリント排出口17が撮影装置15に変更され、出入口空間20が撮影空間21に変更される（Ｓ12）。
【００６５】
そして、撮影処理が開始され（Ｓ13）、撮影処理が終了するまで、撮影処理を継続する（Ｓ14）。撮影処理が終了すると、回転駆動装置54が本体装置11、支持枠26、仕切幕22、上部幕24および周囲幕25を回転駆動して、撮影装置15が編集装置16に変更され、撮影空間21が編集空間22に変更される（Ｓ15）。
【００６６】
そして、編集処理が開始され（Ｓ16）、編集処理が終了するまで、編集処理を継続する（Ｓ17）。編集処理が終了すると、回転駆動装置54が本体装置11、支持枠26、仕切幕22、上部幕24および周囲幕25を回転駆動して、編集装置16がコイン投入口14およびプリント排出口17に変更され、撮影空間21が出入口空間22に変更される（Ｓ18）。
【００６７】
そして、写真プリントの出力処理が行なわれる（Ｓ19）。すなわち、編集された画像データが制御装置50からプリンタ58に伝送され、この画像データに基づいてプリンタ58がプリント紙59に対して画像出力し、これがプリント排出口17から排出される。そして、利用者13が出入口空間20から退出して（Ｓ20）、１組の利用者13による一連の動作が終了する。
【００６８】
次に、図６に示すステップＳ12・Ｓ15・Ｓ18において行なわれる回転駆動装置54の回転駆動を制御する回転駆動制御部55の回転駆動制御について図７に基づいて説明する。まず、撮影空間21における撮影処理、編集空間22における編集処理、および出入口空間20における出力処理が全て終了するまで待機する（Ｓ30）。撮影処理、編集処理および出力処理が全て終了すると、本体装置11を1/3回転させるように回転駆動装置54を制御する（Ｓ31）。回転駆動が完了すると、ステップＳ30に戻って、上記処理を繰り返す。
【００６９】
したがって、本実施形態の写真プリントシステム10は、本体装置11が回転することにより、利用者13の面前にコイン投入口14、撮影装置15、編集装置16およびプリント排出口17が順番に現れるから、利用者13が撮影処理、編集処理および出力処理を行なうたびに各装置の配備位置に移動する必要がない。その結果、利用者13に移動による煩わしさを与えることがない。
【００７０】
また、本体装置11が回転することにより、出入口空間20、撮影空間21および編集空間22が移動するから、利用者13が撮影空間21に陣取ることにより、次の利用者13の利用を遅延させることを防止でき、システムの使用効率を向上させることができる。
【００７１】
なお、本発明に係る写真プリントシステム10では、撮影後に落書きなどの編集処理を行なっているが、編集処理を行なわない写真プリントシステムにも本発明を適用することができる。この場合、編集空間22が省略されて、出入口空間20と撮影空間21との２つの空間に分離されることになる。
【００７２】
また、背景の画像を選択するといった簡単な編集処理のみを行なう場合には、コイン投入口14の付近に表示装置および操作ボタンを配備して、出入口空間20において編集処理を行なってもよいし、撮影装置15において編集処理を行なってもよい。この場合も、編集空間22を省略できるから、出入口空間20と撮影空間21との２つの空間に分離されることになる。
【００７３】
これらとは反対に、図８に示すように、出入口空間20を、コイン投入口14の前の空間である入口空間60と、プリント排出口17の前の空間である出口空間（プリント排出空間）61とに分割してもよい。この場合、利用者13が進入する空間と退出する空間とが分離されているから、利用者13の写真プリントシステムへの出入りを円滑に行なうことができる。
【００７４】
また、撮影装置15を全身用の撮影装置とクローズアップ用の撮影装置とに分離するとともに、撮影空間21を全身用の撮影空間とクローズアップ用の撮影空間とに分割することもできる。したがって、２つ以上の作業空間に分離されている写真プリントシステムならば、本発明を適用できることが理解できる。
【００７５】
なお、本実施形態では、本体装置11とともに支持枠26も回転させているが、支持枠26を固定とし、本体装置11のみを回転させることもできる。この場合、利用者13が仕切幕23を通過する必要はないから、仕切幕23を、利用者13が通り抜け易い構造とする必要はない。しかしながら、周囲幕25を、撮影空間21では閉塞状態に、編集空間22では下部のみを開放状態に、かつ、出入口空間20では開放状態になるように、周囲幕25の上げ下げを行なう機構を設ける必要がある。
【００７６】
また、本実施形態では、図１に示すように、出入口空間20、撮影空間21および編集空間22を等しい広さにしている。しかしながら、撮影空間21は、利用者の顔付近を撮影するクローズアップ撮影のみならず、利用者の全身を撮影する全身撮影に対応させるために、比較的広い空間を確保する必要がある。また、利用者の人数が多少多くなっても撮影が行なえるようにするためにも、撮影空間21はある程度広い方が好ましい。これに対して、出入口空間20および編集空間22としては、さほど広い空間は必要とされない。したがって、撮影空間21を、出入口空間20および編集空間22よりも広くすることが望ましい。
【００７７】
〔実施の形態２〕
次に、本発明の他の実施形態について図９〜図１３に基づいて説明する。本実施形態の写真プリントシステムは、第１実施形態の写真プリントシステム10に比べて、本体装置11を回転可能にする代わりに、床部の周縁部を移動可能にしたものである。なお、第１実施形態で説明した構成と同様の機能を有する構成には、同一の符号を付して、その説明を省略する。
【００７８】
本実施形態の写真プリントシステムでは、図１０に示すように、本体装置90は、床部80に固定されている。このため、撮影空間21や編集空間22などの作業空間も固定されることになる。なお、本体装置90は、床部80に固定されている以外は第１実施形態における本体装置11と同様であるので、その構成の説明を省略する。
【００７９】
また、床部80は、図９および図１０に示すように、その表面部81の周縁に開口部87…が形成されており、開口部87…の下部およびその周辺に床移動装置（運搬手段）82…が配備される。床移動装置82…および開口部87…は、作業空間ごとに設けられる。また、床移動装置82…は、それぞれ独立して駆動される。図９では、図８に示す場合と同様に、４つの作業空間（入口空間60、撮影空間21、編集空間22、および出口空間61）に分かれている場合を示している。したがって、図示の場合では、床部80の表面部81に４つの開口部87が形成され、４つの床移動装置82が配備されることになる。
【００８０】
１つの床移動装置82は、図９に示すように、複数のローラ83…と、無端状ベルト84と、利用者13が乗る複数の運搬台85とを備える構成である。開口部87の下部の適所と、床部80の中心付近とにローラ83…がそれぞれ配備され、配備されたローラ83…に無端状ベルト84を張架している。無端状ベルト84上には、複数の運搬台85が、無端状ベルト84を覆うように並んでいる。運搬台85は、図９および図１０に示すように、その下部に設けた取付部86において無端状ベルト84に取り付けられている。
【００８１】
上記構成の床移動装置82において、図示しない回転駆動装置により一部のローラ83を回転駆動させると、ローラ83…に張架された無端状ベルト84が旋回するとともに、無端状ベルト84に取り付けられた運搬台85が移動する。したがって、開口部87の下部に現れる運搬台85に利用者13が乗ると、利用者13を周方向に運搬することができる。
【００８２】
次に、本実施形態の写真プリントシステムにおいて、１組の利用者13による撮影から編集、出力に至るプレイ動作について、図１１に基づいて説明する。なお、本実施形態の写真プリントシステムの構成は、第１実施形態の写真プリントシステムの構成（図５を参照。）に比べて、回転駆動装置54が、本体装置11を回転駆動させる代わりに、各床移動装置82の一部のローラ83を回転駆動させる点が異なり、その他は同様であるので、その説明を省略する。
【００８３】
まず、利用者13は、入口空間60の前に並び、前の利用者13が入口空間60から撮影空間21に移動した後に、入口空間60に進入する（Ｓ40）。次に、利用者13がコイン投入口14から代金としてコインを投入すると、コイン処理部52から制御装置50にコインの投入が通知されることにより課金処理が行なわれる（Ｓ41）。
【００８４】
課金処理が正常に完了したことが確認されると、撮影空間21が他の利用者13によって使用中であるか否かを判断する（Ｓ42）。使用中の場合には、待機処理を行なう（Ｓ43）。待機処理では、例えば、表示装置が配備されていれば、表示装置に何らかのデモ画面を表示させたり、簡単なゲームなどを行なうことが可能となっていたりするなど、待機中に利用者13を退屈させないようにすることが望ましい。
【００８５】
撮影空間21が使用されていない場合、すなわち、撮影空間21が元々空き状態であったか、或いは、他の利用者13が撮影空間21から編集空間22に移動したことにより撮影空間21が空き状態となった場合には、入口空間60および撮影空間21の下方に配備された床移動装置82・82をそれぞれ駆動し、運搬台85にて利用者13を運搬することにより、利用者13を入口空間60から撮影空間21に移動させる（Ｓ44）。
【００８６】
そして、撮影空間21にて撮影処理が開始され（Ｓ45）、撮影処理が終了するまで、撮影処理を継続する（Ｓ46）。撮影処理が終了すると、編集空間22が他の利用者13によって使用中であるか否かを判断する（Ｓ47）。使用中の場合には、待機処理を行なう（Ｓ48）。
【００８７】
ここでの待機処理では、例えば、撮影装置15の表示モニタ32上に何らかのデモ画面を表示させたり、簡単なゲームなどを行なうことが可能となっていたりしていてもよい。また、待機処理を行なう代わりに、撮影処理を延長して行なうことができるように設定してもよい。
【００８８】
編集空間22が使用されていない場合、すなわち、編集空間22が元々空き状態であったか、或いは、他の利用者13が編集空間22から出口空間61に移動したことにより編集空間22が空き状態となった場合には、撮影空間21および編集空間22の下方に配備された床移動装置82・82をそれぞれ駆動し、運搬台85にて利用者13を運搬することにより、利用者13を撮影空間21から編集空間22に移動させる（Ｓ49）。
【００８９】
そして、編集処理が開始され（Ｓ50）、編集処理が終了するまで、編集処理を継続する（Ｓ51）。編集処理が終了すると、出口空間61が他の利用者13によって使用中であるか否かを判断する（Ｓ52）。使用中の場合には、待機処理を行なう（Ｓ53）。
【００９０】
ここでの待機処理では、例えば、編集装置16の編集表示パネル41上に何らかのデモ画面を表示させたり、簡単なゲームなどを行なうことが可能となっていたりしていてもよい。また、待機処理を行なう代わりに、編集処理を延長して行なうことができるように設定してもよい。
【００９１】
出口空間61が使用されていない場合、すなわち、出口空間61が元々空き状態であったか、或いは、他の利用者13が出口空間61から退出したことにより出口空間61が空き状態となった場合には、編集空間22および出口空間61の下方に配備された床移動装置82・82をそれぞれ駆動し、運搬台85にて利用者13を運搬することにより、利用者13を編集空間22から出口空間61に移動させる（Ｓ54）。
【００９２】
そして、写真プリントの出力処理が行なわれる（Ｓ55）。すなわち、編集された画像データが制御装置50からプリンタ58に伝送され、この画像データに基づいてプリンタ58がプリント紙59に対して画像出力し、これがプリント排出口17から排出される。そして、利用者13が出口空間61から退出して（Ｓ56）、１組の利用者13による一連の動作が終了する。
【００９３】
したがって、本実施形態の写真プリントシステムは、床移動装置82…により、入口空間60、撮影空間21、編集空間22、および出口空間61に利用者13を順次移動させることができるから、利用者13が撮影処理、編集処理および出力処理を行なうたびに各装置の配置位置に移動する必要がない。その結果、利用者13に移動による煩わしさを与えることがない。
【００９４】
また、入口空間60が固定されるから、利用者13は、プレイの順番を待つ場合には、入口空間60の前の１箇所に並べばよい。したがって、固定される撮影空間21および編集空間22から外部へ利用者13が出たり、その反対に入ったりすることがないから、本実施形態の写真プリントシステムを、撮影空間21および編集空間22が壁際となるように、娯楽施設の隅に設置することができ、娯楽施設のスペースを効率的に利用することができる。
【００９５】
以上の効果は、床移動装置82…が独立して駆動されない場合、すなわち、床移動装置82…が同時に駆動される場合であっても得られることができる。
【００９６】
また、本実施形態の写真プリントシステムは、入口空間60、撮影空間21、編集空間22、および出口空間61の下方にそれぞれ配備された床移動装置82…を独立して駆動することができるから、下流側に隣り合う作業空間が使用されていない場合には、現在いる作業空間における処理を早々に済ませて次の作業空間に移動して次の処理を行なうことができる。
【００９７】
この点を、図１２および図１３を用いてより具体的に説明する。いま、撮影空間21、編集空間22および出口空間61のそれぞれを利用者13が占有できる時間を４０秒とし、その間に、それぞれの作業空間における処理を終了させるものとする。
【００９８】
図１２に示す場合は、出口空間61に１組目の利用者13aが存在し、編集空間22に利用者13が存在せず、撮影空間21に２組目の利用者13bが存在する場合である。この場合、２組目の利用者13bは、編集空間22が空いているから、撮影処理を例えば３０秒で済ませて、編集空間22に移動することができる。すると、入口空間60にいる３組目の利用者13（図示せず）は、通常よりも１０秒早く撮影空間21に移動することができる。
【００９９】
一方、図１３に示す場合は、出口空間61に利用者13が存在せず、編集空間22に１組目の利用者13aが存在し、撮影空間21に２組目の利用者13bが存在する場合である。この場合、１組目の利用者13aは、出口空間61が空いているから、編集処理を例えば２５秒で済ませて、出口空間61に移動することができる。すると、撮影空間21にいる２組目の利用者13bは、通常よりも１５秒早く編集空間22に移動することができる。
【０１００】
このように、床移動装置82…を独立して駆動することにより、各作業空間を利用者13が占有する時間を、利用者13の要求により変更することができる。また、作業空間が空いている時間を短縮できるから、写真プリントシステムの作業効率を向上させることができる。
【０１０１】
なお、本実施形態では、本体装置11の各構成であるコイン投入口14、撮影装置15、編集装置16、およびプリント排出口17を周上に配置しているため、床移動装置82…は、利用者13を周方向移動させる構成としている。したがって、本体装置11の各構成を直線上に配置すれば、床移動装置82…は、利用者13を直線に移動させる構成とすることになる。
【０１０２】
【発明の効果】
以上のように、請求項１に記載の写真プリントシステムは、被写体の撮影を行なう撮影手段と、上記撮影手段により撮影された画像に基づいて、プリント紙に対して画像の出力を行なう画像出力手段と、上記画像出力手段により画像出力されたプリント紙を排出するプリント排出手段とを備えた写真プリントシステムにおいて、上記撮影手段および上記プリント排出手段を移動させる移動手段をさらに備えることを構成である。
【０１０３】
これにより、利用者自身が移動することなく撮影処理およびプリント排出処理が行なわれるから、利用者の移動による煩わしさを回避できるという効果を奏する。
【０１０４】
また、請求項２に記載の写真プリントシステムは、以上のように、請求項１の構成において、上記撮影手段によって撮影された画像に対して利用者による編集処理が行なわれる編集手段をさらに備えており、上記画像出力手段は、上記編集手段によって編集が行なわれた画像に基づいて、プリント紙に対して画像の出力を行なうものであり、上記移動手段は、さらに上記編集手段を移動させるものである構成である。
【０１０５】
これにより、利用者自身が移動することなく、撮影処理、編集処理、およびプリント排出処理が行なわれるから、編集手段が追加されることによる利用者のさらなる移動による煩わしさを回避できるという効果を奏する。
【０１０６】
また、請求項３に記載の写真プリントシステムは、以上のように、請求項２の構成において、上記移動手段は、上記撮影手段、上記プリント排出手段および上記編集手段をそれぞれ独立して移動させるものである構成である。
【０１０７】
これにより、利用者が次の処理を行なうために用いる手段が使用されていない場合には、該手段をただちに移動させることができるから、写真プリントシステムにおける作業効率を向上できるという効果を奏する。
【０１０８】
また、請求項４に記載の写真プリントシステムは、以上のように、請求項１の構成において、上記撮影手段および上記プリント排出手段が異なる向きに配置された本体装置をさらに備えており、上記移動手段は、上記本体装置を回転させるものである構成である。
【０１０９】
これにより、移動手段は、本体装置を回転させる機能のみを有すれば、撮影手段およびプリント排出手段をそれぞれ移動させる機能を有する必要がないから、移動手段を設けることによるシステムの大型化を低減できるという効果を奏する。
【０１１０】
なお、上記編集手段をさらに備える写真プリントシステムの場合には、上記編集手段が、上記本体装置において上記撮影手段および上記プリント排出手段と異なる向きにさらに配置されることが望ましい。
【０１１１】
また、通常、写真プリントシステムは、外部の光を遮蔽するため、上記撮影手段による撮影処理が行なわれる撮影空間を覆う遮蔽部材をさらに備えているから、上記移動手段は、上記撮影手段の移動に応じて、上記遮蔽部材を移動させるものであることが望ましい。
【０１１２】
また、請求項７に記載の写真プリントシステムは、以上のように、被写体の撮影を行なう撮影手段と、上記撮影手段により取得された画像に基づいて、プリント紙に対して画像の出力を行なう画像出力手段と、上記画像出力手段により画像出力されたプリント紙を排出するプリント排出手段とを備えた写真プリントシステムにおいて、上記撮影手段による撮影処理が行なわれる撮影空間から、上記プリント排出手段のプリント排出処理が行なわれるプリント排出空間へ利用者を運搬する運搬手段をさらに備える構成である。
【０１１３】
これにより、利用者自身が移動することなく撮影処理およびプリント排出処理が行なわれるから、利用者の移動による煩わしさを回避できるという効果を奏する。
【０１１４】
また、請求項８に記載の写真プリントシステムは、以上のように、請求項７の構成において、上記撮影手段によって撮影された画像に対して利用者による編集処理が行なわれる編集手段をさらに備えており、上記画像出力手段は、上記編集手段によって編集が行なわれた画像に基づいて、プリント紙に対して画像の出力を行なうものであり、上記運搬手段は、上記撮影空間に存在する利用者を、上記編集手段による編集処理が行なわれる編集空間に運搬し、かつ、上記編集空間に存在する利用者を上記プリント排出空間に運搬する構成である。
【０１１５】
これにより、利用者自身が移動することなく、撮影処理、編集処理、およびプリント排出処理が行なわれるから、編集手段が追加されることによる利用者のさらなる移動による煩わしさを回避できるという効果を奏する。
【０１１６】
また、請求項９に記載の写真プリントシステムは、以上のように、請求項８の構成において、上記運搬手段は、上記撮影空間から上記編集空間への運搬と、上記編集空間から上記プリント排出空間への運搬とをそれぞれ独立して行なうものである構成である。
【０１１７】
これにより、運搬先の空間に利用者が存在しない場合には、利用者をただちに運搬できるから、写真プリントシステムにおける作業効率を向上できるという効果を奏する。
【０１１８】
また、請求項１０に記載の写真プリントシステム制御方法は、以上のように、被写体の撮影を行なう撮影手段と、上記撮影手段によって撮影された画像に対して利用者による編集処理が行なわれる編集手段と、上記編集手段によって編集が行なわれた画像に基づいて、プリント紙に対して画像の出力を行なう画像出力手段と、上記画像出力手段により画像出力されたプリント紙を排出するプリント排出手段と、上記撮影手段による撮影処理が行なわれる撮影空間に存在する利用者を、上記編集手段による編集処理が行なわれる編集空間に運搬する第１の運搬手段と、上記編集空間に存在する利用者を、上記プリント排出手段のプリント排出処理が行なわれるプリント排出空間に運搬する第２の運搬手段とを備えた写真プリントシステムにおける写真プリントシステム制御方法であって、第１および第２の運搬手段のそれぞれに対して、運搬元の空間で行なわれる処理が終了し、かつ、運搬先の空間に利用者が存在しない場合に利用者を運搬するように制御する方法である。
【０１１９】
これにより、運搬先の空間に利用者が存在しない場合には、利用者をただちに運搬するように第１および第２の運搬手段のそれぞれを制御するから、写真プリントシステムにおける処理効率を向上できるという効果を奏する。
【０１２０】
なお、請求項１０に記載の写真プリントシステム制御方法を写真プリントシステム制御プログラムとしてコンピュータに実行させることができる。さらに、上記写真プリントシステム制御プログラムをコンピュータ読取り可能な記録媒体に記憶させることにより、任意のコンピュータ上で上記写真プリントシステム制御方法を実行させることができる。
【０１２１】
また、請求項１３に記載のプリント紙ユニットは、以上のように、請求項１ないし９のいずれか１項に記載の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０１２２】
これにより、写真プリントシステムにおいて指定されているプリント紙以外は使用できないように設定することが可能となるという効果を奏する。
【０１２３】
また、識別情報に用紙枚数情報を含ませることによって、プリント紙を使用するごとに用紙枚数をカウントダウンすることにより、残りの用紙枚数を把握することが可能となるという効果を奏する。
【０１２４】
また、識別情報に用紙種類情報を含ませることによって、これらを考慮して画像データの色成分などを補正することにより、その用紙やインクフィルムに的確な画像出力を行うことが可能となるという効果を奏する。
【図面の簡単な説明】
【図１】本発明の一実施形態である写真プリントシステムの概要を示す平面図である。
【図２】本実施形態の写真プリントシステムの概要を示す斜視図である。
【図３】本実施形態の写真プリントシステムの概要を示す斜視図である。
【図４】本実施形態の写真プリントシステムの概要を示す斜視図である。
【図５】本実施形態の写真プリントシステムの概略構成を示すブロック図である。
【図６】本実施形態の写真プリントシステムにおける処理の流れを示すフローチャートである。
【図７】本実施形態における制御装置が回転駆動装置を制御する動作を示すフローチャートである。
【図８】図１に示す写真プリントシステムにおいて、出入口空間を入口空間と出口空間とに分けた構成を示す平面図である。
【図９】本発明の他の実施形態である写真プリントシステムにおける床部を示す平面図であり、一部を切り欠いて示す図である。
【図１０】図９に示すＡ−Ａ線にて切断し、矢印方向から見た断面図である。
【図１１】本実施形態の写真プリントシステムにおける処理の流れを示すフローチャートである。
【図１２】本実施形態の写真プリントシステムにおいて、編集空間が空いている場合に利用者が使用可能な作業空間と時間とを示す図である。
【図１３】本実施形態の写真プリントシステムにおいて、出口空間が空いている場合に利用者が使用可能な作業空間と時間とを示す図である。
【符号の説明】
１０    写真プリントシステム
１１    本体装置
１５    撮影装置（撮影手段）
１６    編集装置（編集手段）
１７    プリント排出口（プリント排出手段）
２０    出入口空間（プリント排出空間）
２１    撮影空間
２２    編集空間
２４    上部幕（遮蔽部材）
２５    周囲幕（遮蔽部材）
５４    回転駆動装置（移動手段）
５６    ＩＤタグリーダ／ライタ（識別情報読取手段）
５７    ＩＤタグ（識別媒体）
５８    プリンタ（画像出力手段）
５９    プリント紙
６１    出口空間（プリント排出空間）
８２    床移動装置（運搬手段）
【図１】
0004139911.tif 000002
【図２】
0004139911.tif 000003
【図３】
0004139911.tif 000004
【図４】
0004139911.tif 000005
【図５】
0004139911.tif 000006
【図６】
0004139911.tif 000007
【図７】
0004139911.tif 000008
【図８】
0004139911.tif 000009
【図９】
0004139911.tif 000010
【図１０】
0004139911.tif 000011
【図１１】
0004139911.tif 000012
【図１２】
0004139911.tif 000013
【図１３】
0004139911.tif 000014